(57)【要約】【課題】入居者の使用言語への迅速な変更や、ハードウェア資源の有効活用ができる住宅情報システムを提供する。【解決手段】住環境の状態を検出する各種センサ５と、各種センサ５の検出情報を、言語を用いて報知する住宅情報盤１とを備え、住宅情報盤１は、その報知を行うための言語データを格納する記憶装置と、その記憶装置に格納する言語データを選択する入力装置とを備える一方、警報監視盤６内部には、各種言語夫々の言語データを格納したデータベースを備え、住宅情報盤１は、使用する言語の選択が行われると、その選択された言語の情報を警報監視盤６へと出力し、警報監視盤６では、その情報に合った言語データを住宅情報盤１へと出力し、住宅情報盤１では、当該記憶装置に格納されたその言語データを用いて、各種センサ５で検出された情報の報知をする。【選択図】　　　　図１
2004146872.tif 000002
【特許請求の範囲】
【請求項１】
住環境の状態を検出するセンサと、そのセンサで検出された情報を、言語を用いて報知する住宅情報盤とを備えた住宅情報システムにおいて、前記住宅情報盤は、当該報知を行うための言語データを格納する記憶装置と、その記憶装置に格納する言語データを選択する入力装置とを備える一方、当該住宅情報システムは、さらに、各種言語夫々の言語データを格納したデータベースを備え、前記住宅情報盤は、入力装置により使用する言語の選択が行われると、その選択された言語の情報を前記データベースへと出力し、当該データベースでは、その情報に合った言語データを住宅情報盤の前記記憶装置へと出力し、住宅情報盤では、当該記憶装置に格納されたその言語データを用いて、前記センサで検出された情報の報知をすることを特徴とする住宅情報システム。
【請求項２】
住環境の状態を検出するセンサと、そのセンサで検出された情報を、言語を用いて報知する住宅情報盤とを備えた住宅情報システムにおいて、前記住宅情報盤は、当該報知を行うための言語データを格納する記憶装置を備える一方、当該住宅情報システムは、さらに、その記憶装置に格納する言語データを選択する入力装置と、各種言語に対応した言語データを格納したデータベースとを具備した端末機を備え、その端末機は、入力装置により使用する言語の選択が行われると、当該データベースから、その選択された言語に合った言語データを住宅情報盤の前記記憶装置へと出力し、住宅情報盤では、当該記憶装置に格納されたその言語データを用いて、前記センサで検出された情報の報知をすることを特徴とする住宅情報システム。
【発明の詳細な説明】
【０００１】
【発明の属する技術分野】
本発明は、火災の発生等を通知する住宅情報システムに関するものである。
【０００２】
【従来の技術】
従来から、図１に示すような住宅情報システムが知られている。同図に示すように、各住戸Ｈ内には、火災の発生やガス漏れなどを確認できる住宅情報盤１と、その住宅情報盤１に信号線２を介して接続されたドアホン子器３と、そのドアホン子器３に信号線４を介して接続された各種センサ５とが設置されている。各住宅情報盤１は、管理人室Ａ等に設置された警備監視盤６と信号線７を介して接続されており、各住戸Ｈに備えられた各種センサ５で検出された情報、例えば火災が発生した旨の情報などが、警報監視盤６へ送信されるようになっている。そして、警報監視盤６は、当該情報を送信した住宅情報盤１以外の、他の住宅情報盤１に対して火災信号を送信し、それらの住宅情報盤１では、入力装置及び表示装置たるタッチパネル付ＬＣＤ８に、火災が発生した旨の情報を表示すると共に、その旨の音声出力と警報音を鳴動させて報知するようになっている。
【０００３】
【発明が解決しようとする課題】
ところで、これらの情報表示と音声出力は、特開２００２−７４５５８号の図４などにもあるように、各国の言語に合わせた仕様となっており、日本国内仕様の住宅情報盤１では、その情報表示と音声出力は日本語となる。従って、日本語を十分に理解できない外国人にとっては、火災などの人命に関わる重大な事態が発生しても、状況が理解できずに避難が遅れるという問題がある。
【０００４】
尚、その外国人が理解できる言語に仕様を変更することも可能であるが、情報表示のためのＯＳＤ（Ｏｎ　Ｓｃｒｅｅｎ　Ｄｉｓｐｌａｙ）用のＩＣ並びに、音声データを記憶したＩＣを取り替えなければならず、入居者の入れ替わりが激しい大都市圏では、度重なる仕様変更が発生して煩雑であり、また取り替えたＩＣが無駄になるという問題がある。さらに、全ての言語に対応させることも可能であるが、使用しない言語についても記憶領域を確保しなければならないので、ハードウェア資源の有効活用及びコスト削減の観点から採用できないという問題がある。
【０００５】
本発明は、上記の種々の問題点に鑑みてなされたものであり、その目的とするところは、入居者の使用言語に迅速に変更することができ、かつＩＣの取り替えといった面倒な作業が発生せず、ハードウェア資源の有効活用ができると共に、廉価な住宅情報システムを提供することにある。
【０００６】
【課題を解決するための手段】
かかる住宅情報システムを提供するために、本願の発明者は検討したところ、その基本的な思想として、各言語に対応した情報表示データ及び音声データを含んでなる言語データベースを備え、住宅情報盤１のユーザの使用言語に合わせて、その住宅情報盤１に、当該データベースから情報表示データ等の言語データをダウンロードし、それらのダウンロードした言語データを用いて、情報表示や音声出力等を行うことに想到した。
【０００７】
より具体的には、住環境の状態を検出するセンサと、そのセンサで検出された情報を、言語を用いて報知する住宅情報盤とを備えた住宅情報システムにおいて、前記住宅情報盤は、当該報知を行うための言語データを格納する記憶装置と、その記憶装置に格納する言語データを選択する入力装置とを備える一方、当該住宅情報システムは、さらに、各種言語夫々の言語データを格納したデータベースを備え、前記住宅情報盤は、入力装置により使用する言語の選択が行われると、その選択された言語の情報を前記データベースへと出力し、当該データベースでは、その情報に合った言語データを住宅情報盤の前記記憶装置へと出力し、住宅情報盤では、当該記憶装置に格納されたその言語データを用いて、前記センサで検出された情報の報知をすることを特徴とするものである（請求項１）。
【０００８】
また、住環境の状態を検出するセンサと、そのセンサで検出された情報を、言語を用いて報知する住宅情報盤とを備えた住宅情報システムにおいて、前記住宅情報盤は、当該報知を行うための言語データを格納する記憶装置を備える一方、当該住宅情報システムは、さらに、その記憶装置に格納する言語データを選択する入力装置と、各種言語に対応した言語データを格納したデータベースとを具備した端末機を備え、その端末機は、入力装置により使用する言語の選択が行われると、当該データベースから、その選択された言語に合った言語データを住宅情報盤の前記記憶装置へと出力し、住宅情報盤では、当該記憶装置に格納されたその言語データを用いて、前記センサで検出された情報の報知をすることを特徴としたものも良いものである（請求項２）。
【０００９】
【発明の実施の形態】
次に、上述の各解決手段を具体的な実施形態として、以下に詳細に説明する。
【００１０】
［第１の実施形態］
（システムの基本的構成）
本実施形態の住宅情報システムの基本的構成は、上述のシステムと同様なので、既に説明した部分はこれを省略する。ここでは、図１に基づき、未だ触れられていない事項について説明することとする。まず、住宅情報盤１は、インターホン機能を備えており、ドアホン子器３及びマンション等の玄関Ｇに設置されるロビーインターホン９と通話可能となっている。後者につき、より詳しく説明すると、ロビーインターホン９は、警報監視盤６と信号線１０を介して接続される一方、上述したように、警報監視盤６と各住宅情報盤１とは信号線７を介して接続されており、警報監視盤６は交換機としての機能を備えているため、ロビーインターホン９を各住戸Ｈ共用のインターホンとして使用可能となっている。
【００１１】
そして、来訪者がロビーインターホン９から、目的の住戸Ｈの番号を入力すると、その目的の住戸のＨ内に設置された住宅情報盤１の呼出音が鳴動し、当該住戸Ｈの居住者が住宅情報盤１の受話器１ａを取ることで、その居住者と会話することができる。尚、その会話を通して、居住者が当該来訪者のマンション等への入場を希望する場合には、住宅情報盤１のタッチパネル付ＬＣＤ８によりロックの解除操作を行うことによって、その情報が警報監視盤６へと送信され、さらに、その警報監視盤６に接続された信号線１１を介して電気錠制御装置へと送信され、玄関Ｇに設置された自動ドアのロックが解除されるようになっている。
【００１２】
また、ドアホン子器３は、各住戸Ｈの室外に設置され、各々の住戸Ｈの訪問者と、その住戸Ｈの室内に設置した住宅情報盤１から応対できるようになっている。より詳しく説明すると、ドアホン子器３は、居住者を呼び出すための呼出ボタン３ａと、訪問者の音声を集音するマイク（図示せず）及び、居住者の音声を出力するスピーカ３ｂと、訪問者の姿を撮像するためのカメラ３ｃ（カバーにより被覆されている）とが備えられている。そして、訪問者が呼出ボタン３ａを押圧すると、信号線２を介して呼出信号が住宅情報盤１へと送信され、住宅情報盤１ではチャイムなどを鳴動させて、来客がある旨を居住者へと通知し、その通知を受けた居住者は、受話器１ａを取ることで、室外の訪問者との会話を行うことができる。
【００１３】
また、各種センサ５は、住環境の状態を検出するセンサであって、住宅や居住者にとって危険を及ぼす要因を検出するセンサのみではなく、当該居住者にとって便宜な情報をもたらすセンサや、その居住者自身の状態を計測するセンサも含まれる。このようなセンサの一例として、サーミスタ等を採用した火災センサ、マグネットスイッチ等からなる窓やサッシの開閉センサをはじめ、ＣＯセンサ、ガスセンサ、煙センサ、侵入を検出する超音波センサ並びに赤外線センサ、電力の使い過ぎを報知するための電力センサ、浴室や寝室で高齢者が倒れているなどの異常を検出する生活異常センサ、宅配便の有無を検出する超音波センサやスイッチ類などがあり、使用用途に応じたセンサを一乃至複数採用する。尚、これらのセンサで検出された信号は、ドアホン子器３を介して住宅情報盤１へと送信され、タッチパネル付ＬＣＤ８に各センサで検出された状況が表示されるようになっている。
【００１４】
また、警報監視盤６は、上述した各住宅情報盤１への火災信号の送信の他、マンション等の共用スペースに取り付けた各種センサ５（図示せず）からの情報の取得や、その共用スペースに取り付けたスピーカ（図示せず）から、火災が発生した旨の音声出力と警報音の鳴動等を行い、さらに各住宅情報盤１及びロビーインターホン９との会話や、電気錠制御装置に対して、玄関Ｇに設置された自動ドアのロックの解除信号を送信できるようになっている。
【００１５】
（警報監視盤６の構成）
以上の基本的構成を踏まえて、まず警報監視盤６について、より詳細に説明する。図２に示すように、警報監視盤６は、情報の入出力を行うタッチパネル付ＬＣＤ８と、各言語に対応した情報表示データ及び音声データを含んでなる言語データベース１３と、各住宅情報盤１との制御信号の送受信並びに、電気錠制御盤への解除信号を送信するための制御信号インターフェース回路１４と、タッチパネル付ＬＣＤ８の画面上に文字情報などを出力するＯＳＤ（Ｏｎ　ＳｃｒｅｅｎＤｉｓｐｌａｙ）１５と、インターホン機能や警報音の鳴動などの信号処理を行うＤＳＰ（Ｄｉｇｉｔａｌ　Ｓｉｇｎａｌ　Ｐｒｏｃｅｓｓｏｒ）１６とを備えている。
【００１６】
これらのタッチパネル付ＬＣＤ８、言語データベース１３、制御信号インターフェース回路１４、ＯＳＤ１５、ＤＳＰ１６の各部はマイコン１２に接続され、当該マイコン１２は、これらの各部の制御を行うようになっている。また、マイコン１２は、データライン７ａを介して各住宅情報盤１と接続されており、言語データベース１３を参照して、必要な情報表示データ及び音声データを読み出し、当該データライン７ａを介して各住宅情報盤１へとそれらのデータを送信するようになっている。
【００１７】
言語データベース１３は、図３に示すように、各言語に対応した情報表示データテーブルＴＩＮ及び音声データテーブルＴＶＯを含んで構成されており、図３（ａ）に示すように、情報表示データテーブルＴＩＮには、情報表示の種類を特定するためのアドレスＡと、そのアドレスに対応する各言語が格納されている。より詳しく説明すると、ここでは一例として、アドレスＡの「０１」に非常である旨が割り当てられており、日本語では「非常」、英語ではその訳の「Ｅｍｅｒｇｅｎｃｙ」などどなっている。また、アドレスＡの「０３」にガス漏れである旨が割り当てられており、日本語では「ガス」、英語ではその訳の「Ｇａｓ」などとなっている。
【００１８】
同様にして、図３（ｂ）に示すように、音声データテーブルＴＶＯにも、音声の種類を特定するためのアドレスＡと、そのアドレスに対応する各言語が格納されており、より詳しく説明すると、ここでは一例として、アドレスＡの「５１」に非常が発生した旨が割り当てられており、日本語では「非常発生。」、英語ではその訳の「Ｅｍｅｒｇｅｎｃｙ　ｈａｓ　ｏｃｃｕｒｒｅｄ！」などどなっている。また、アドレスＡの「５２」に火災が発生した旨が割り当てられており、日本語では「火事です。火災が発生しました。」、英語ではその訳の「Ｆｉｒｅ！
Ｆｉｒｅ　ｂｒｏｋｅ　ｏｕｔ！」などどなっている。
【００１９】
次に、再び図２に基づいて、警報監視盤６についてさらに説明すると、制御信号インターフェース回路１４は、マイコン１２と接続されている他に、信号ライン７ｂを介して各住宅情報盤１と接続されており、上述した各住宅情報盤１への火災信号の送信等を行うことができるようになっている。また、制御信号インターフェース回路１４は、信号線１１を介して電気錠制御盤と接続されており、上述したように、電気錠制御装置に対して、玄関Ｇに設置された自動ドアのロックの解除信号を送信できるようになっている。
【００２０】
タッチパネル付ＬＣＤ８は、マイコン１２と接続される他に、ＯＳＤ１５及び映像復調回路１９と接続されており、ＯＳＤ１５は、タッチパネル付ＬＣＤ８の画面上に出力する文字情報等を格納した文字表示用ＲＯＭ１７と接続される。また、映像復調回路１９は、映像ライン７ｃを介して各住宅情報盤１と接続された映像インターフェース回路１８と接続され、その映像インターフェース回路１８は、信号線１０ａを介してロビーインターホン９にも接続されている。これにより、ロビーインターホン９に具備したカメラ（図示せず）が撮像した訪問者の映像が、映像インターフェース回路１８を介して、各住宅情報盤１へと出力される。尚、警報監視盤６でもその訪問者の映像を確認することができるようになっている。
【００２１】
ＤＳＰ１６は、火災等が発生した場合に鳴動させるための警報音を格納した警報音用ＲＯＭ２０と、通話ライン７ｄを介して各住宅情報盤１と接続された通話インターフェース回路２１と、当該通話に使用するためのマイク２２及びスピーカ２３と接続されている。通話インターフェース回路２１は、通話ライン７ｄの他、信号線１０ｂを介してロビーインターホン９と接続されている。これにより、ロビーインターホン９に具備したマイク（図示せず）が集音した訪問者の音声が、通話インターフェース回路２１を介して、各住宅情報盤１へと出力される。
【００２２】
尚、データライン７ａ、信号ライン７ｂ、映像ライン７ｃ、通話ライン７ｄは、上述した各住宅情報盤１と警備監視盤６とを接続する信号線７として、縒り合わされて構成されており、また信号線１０ａ、ｂについても信号線１０として、縒り合わされて構成されているが、特に耐久性や配線スペースが確保できる場合にあっては、必ずしもこれに限定されるものではない。
【００２３】
（住宅情報盤１の構成）
以上の警報監視盤６の構成を踏まえて、住宅情報盤１について、図４に基づきより詳細に説明する。尚、警報監視盤６と同様の機能を持つ部分については、同一符号を付して説明を省略又は簡略化することとする。図４に示すように、住宅情報盤１は、タッチパネル付ＬＣＤ８と、警報監視盤６から出力されるデータを振り分けるための切替リレー１３ａと、ドアホン子器３及び警報監視盤６との制御信号の送受信並びに、ドアホン子器３を介して入力される各種センサ５からの検出信号を受信するための制御信号インターフェース回路１４と、ＯＳＤ１５と、ＤＳＰ１６とを備えている。これらのタッチパネル付ＬＣＤ８、切替リレー１３ａ、制御信号インターフェース回路１４、ＯＳＤ１５、ＤＳＰ１６の各部はマイコン１２に接続されている。
【００２４】
制御信号インターフェース回路１４は、信号ライン７ｂを介して警報監視盤６と接続されると共に、信号線２ｃを介してドアホン子器３と接続されており、ドアホン子器３の制御と共に、上述したように各種センサ５からの検出信号が受信できるようになっている。ＯＳＤ１５は、タッチパネル付ＬＣＤ８の画面上に出力する文字情報等からなる情報表示データを格納した文字表示用ＲＡＭ１７ａと接続されている。映像インターフェース回路１８は、信号線２ａを介してドアホン子器３と接続されており、ドアホン子器３のカメラ３ｃで撮像された訪問者の画像が、映像復調回路１９で復調され、タッチパネル付ＬＣＤ８の画面上に表示されるようになっている。
【００２５】
ＤＳＰ１６は、警報音及び、ドアホン子器３又はロビーインターホン９からの呼出音並びに、音声出力のための音声データを格納した警報音・音声用ＲＡＭ２０ａと、通話ライン７ｄを介して警報監視盤６と接続された通話インターフェース回路２１と、受話器１ａに格納され、当該通話に使用するためのマイク２２及びスピーカ２３と接続されている。通話インターフェース回路２１は、通話ライン７ｄの他、信号線２ｂを介してドアホン子器３と接続されている。また、本実施形態の住宅情報盤１の特徴的部分である切替リレー１３ａは、マイコン１２の他、データライン７ａを介して警報監視盤６と接続されると共に、上述した文字表示用ＲＡＭ１７ａと、警報音・音声用ＲＡＭ２０ａとに接続されている。
【００２６】
（本システムの主要動作の説明）
以上の構成を踏まえ、本システムの主要動作について、図１乃至図５に基づいて詳細に説明する。まず、住宅情報盤１のタッチパネル付ＬＣＤ８には、日本語、英語、フランス語、中国語など主要言語で「使用言語を選択して下さい」との表示がなされ、同時に「日本語」、「Ｅｎｇｌｉｓｈ」といったように、夫々の言語で言語名が付記されたボタンの画像が表示される。その住宅情報盤１が設置された住戸の居住者が、それらの表示に基づいて使用言語のボタンを押すと、選択された言語の情報（以下、言語情報という）がマイコン１２から、制御信号インターフェース回路１４へ送信され、さらに信号ライン７ｂを介して、警報監視盤６へと送信される。
【００２７】
警報監視盤６の制御信号インターフェース回路１４では、その情報をマイコン１２へと送信し、当該警報監視盤６のマイコン１２では、言語データベース１３を参照して、選択された言語の情報表示データ及び音声データを読み出し、データライン７ａを介して、その言語の選択情報を送信した住宅情報盤１へと、それらのデータを送信する。より詳しく説明すると、警報監視盤６のマイコン１２は、信号ライン７ｂを介して、住宅情報盤１のマイコン１２に対して、まず情報表示データ送信要求を送信する。住宅情報盤１のマイコン１２では、その要求を受信すると、切替リレー１３ａを文字表示用ＲＡＭ１７ａ側に切り替えて、その切り替えが終了すると、警報監視盤６のマイコン１２に対して、受信準備完了応答を送信する。
【００２８】
その応答を受信した警報監視盤６のマイコン１２は、言語データベース１３内の情報表示データテーブルＴＩＮを参照して、そのテーブルに格納されている選択された言語のデータを、夫々の言葉に対応したアドレスと共に、データライン７ａを介して、文字表示用ＲＡＭ１７ａへ送信する。そして、文字表示用ＲＡＭ１７ａでは、アドレスとそのアドレスに対応する言葉とを対応づけて格納するようになっている。次に、警報監視盤６のマイコン１２は、全ての情報表示データの送信が完了すると、住宅情報盤１のマイコン１２に対して、音声データ送信要求を送信する。住宅情報盤１のマイコン１２では、その要求を受信すると、切替リレー１３ａを警報音・音声ＲＡＭ２０ａ側に切り替えて、その切り替えが終了すると、警報監視盤６のマイコン１２に対して、受信準備完了応答を送信する。
【００２９】
その応答を受信した警報監視盤６のマイコン１２は、言語データベース１３内の音声データテーブルＴＶＯを参照して、そのテーブルに格納されている選択言語のデータを、夫々の言葉に対応したアドレスと共に、データライン７ａを介して、警報音・音声ＲＡＭ２０ａへ送信する。警報音・音声ＲＡＭ２０ａでは、アドレスとそのアドレスに対応する言葉とを対応づけて格納するようになっている。そして、警報監視盤６のマイコン１２は、全ての音声データの送信が完了すると、住宅情報盤１のマイコン１２に対して、送信完了通知を送信するようになっている。
【００３０】
図５は、住宅情報盤１のタッチパネル付ＬＣＤ８の表示内容を示したものであって、日本語を選択した場合には、図５（ａ）に示すように、非常や火災などの項目が日本語で表示され、英語を選択した場合には、図５（ｂ）に示すように、各項目が英語で表示されるようになっている。より詳しく説明すると、当該各表示部分には、情報表示の種類を特定するためのアドレスＡが割り当てられており、住宅情報盤１のＯＳＤ１５は、そのアドレスに基づいて文字表示用ＲＡＭ１７ａを参照して、当該各アドレスに対応する言語を表示するようになっている。
【００３１】
ここで、当該タッチパネル付ＬＣＤ８の表示内容としては、非常、火災の発生、ガス漏れ、水漏れ、換気、防犯の警報をはじめ、他の部屋からの呼び出しを示すコール、家族間での伝言、管理人からメッセージ、業者から荷物が届いたことを示す宅配、ロビーインターホン９からの呼び出し、玄関Ｇに設置された自動ドアのロックの解除、電力表示（図示せず）などがあり、使用目的に応じて必要な情報を表示するようにする。
【００３２】
また、これら火災の発生等が生じた場合には、選択言語での音声出力が可能である。例えば、各種センサ５若しくは警報監視盤６で火災が発生したことを検出すると、その検出信号は、住宅情報盤１の制御信号インターフェース回路１４を介してマイコン１２へと出力され、その住宅情報盤１のマイコン１２は、ＤＳＰ１６へと、その状況に対応するアドレスと共に、警報音等の鳴動を行うよう制御指令を出力する。その制御指令を受けた住宅情報盤１のＤＳＰ１６は、受信したアドレスに基づいて警報音・音声ＲＡＭ２０ａを参照して、当該各アドレスに対応する言語を読み出して音声合成を行うようになっている。
【００３３】
すなわち、本実施形態では、警報監視盤６に言語データベース１３を備え、その言語データベース１３から、情報表示データや音声データ（どちらか一つでも良いものである）など、住居者に対して言語を用いた報知を行うための言語データを、住宅情報盤１に備えた文字表示用ＲＡＭ１７ａ並びに警報音・音声用ＲＡＭ２０ａといった記憶装置に、当該住宅情報盤１で選択された言語情報に基づいて、適宜ダウンロードする構成としたものである。尚、報知を行うためのデータとして、警報音のデータも含めても良いものである。
【００３４】
［第２の実施形態］
次に、第１の実施形態を踏まえ、本実施形態の住宅情報システムについて、図６に基づいて詳細に説明する。本実施形態が第１の実施形態と異なり特徴を有するのは、データライン７ａが警報監視盤６ではなく端末機２４と接続され、また当該端末機２４からも信号ライン７ｂａが導出されて、住宅情報盤１の制御信号インタフェース回路１４と接続されている点である。端末機２４は、いわゆるパソコン等の情報処理端末であって、その記憶装置に言語データベース１３が格納され、住宅情報盤１のマイコン１２と制御信号の送受信を行って、上述の実施形態と略同様にして、情報表示データ及び音声データが送信可能となっている。
【００３５】
より詳しく説明すると、第１の実施形態の動作と異なるのは、言語の選択が住宅情報盤１でなされるのではなく、端末機２４で行う点であって、その後は同様の動作がなされるようになっている。まず、当該端末機２４の入力装置により言語の選択がなされると、その端末機２４は、信号ライン７ｂａを介して、住宅情報盤１のマイコン１２に対して、まず情報表示データ送信要求を送信する。マイコン１２では、その要求を受信すると、切替リレー１３ａを文字表示用ＲＡＭ１７ａ側に切り替えて、端末機２４に対して、受信準備完了応答を送信する。
【００３６】
その応答を受信した端末機２４は、自己の記憶装置に格納した言語データベース１３内の情報表示データテーブルＴＩＮを参照して、選択言語のデータを夫々の言葉に対応したアドレスと共に、データライン７ａを介して、文字表示用ＲＡＭ１７ａへ送信する。次に、端末機２４は、全ての情報表示データの送信が完了すると、マイコン１２に対して、音声データ送信要求を送信する。マイコン１２では、その要求を受信すると、切替リレー１３ａを警報音・音声ＲＡＭ２０ａ側に切り替えて、端末機２４に対して、受信準備完了応答を送信する。
【００３７】
その応答を受信した端末機２４は、言語データベース１３内の音声データテーブルＴＶＯを参照して、そのテーブルに格納されている選択言語のデータを、夫々の言葉に対応したアドレスと共に、データライン７ａを介して、警報音・音声ＲＡＭ２０ａへ送信する。そして、警報監視盤６のマイコン１２は、全ての音声データの送信が完了すると、住宅情報盤１のマイコン１２に対して、送信完了通知を送信するようになっている。尚、これ以外の動作については、第１の実施形態と同様なので、ここでは説明を省略する。
【００３８】
［各実施形態の補足説明］
ところで、上述の各実施形態では、切替リレー１３ａを用いるとして説明したが、この切替リレー１３ａを用いなくとも、マイコン１２と文字表示用ＲＡＭ１７ａ及び警報音・音声用ＲＡＭ２０ａとを接続して、情報表示データ及び音声データを、信号ライン７ｂ（７ｂａ）等を介してマイコン１２へと送信し、当該マイコン１２から文字表示用ＲＡＭ１７ａに対して情報表示データを送信すると共に、警報音・音声用ＲＡＭ２０ａに対して音声データ送信するようにしても良い。尚、音声データについてのみ説明したが、ドアホン子器３又はロビーインターホン９からの呼出音についても、警報監視盤６乃至端末機２４から送信可能としても良いものである。
【００３９】
【発明の効果】
以上のように、本願発明にあっては、使用言語に合わせた報知を行うことができるので、火災などの人命に関わる重大な事態が発生しても、状況を的確に理解することができ、早期避難が実現できる。また、情報表示データを記憶したＩＣ等を取り替えるといった面倒な作業がないので、入居者の入れ替わりが激しい大都市圏であっても、使用言語に迅速に変更でき、従来のように取り替えたＩＣが無駄になるといったこともない。さらに、使用言語のみについて記憶させれば良いので、記憶領域が必要最小限で済み、ハードウェア資源の有効活用が図れ、コスト削減を達成することができるという効果を奏する。
【図面の簡単な説明】
【図１】住宅情報システムの構成を示す図である。
【図２】第１の実施形態の警報監視盤の構成を示すブロック図である。
【図３】言語データベース内のテーブルの内容を示す図であって、夫々（ａ）は情報表示データテーブル、（ｂ）は音声データテーブルの内容を示す図である。
【図４】第１の実施形態の住宅情報盤を示すブロック図である。
【図５】本願の住宅情報盤の表示を示す図であって、夫々（ａ）は日本語表示状態、（ｂ）は英語表示状態を示す図である、
【図６】第２の実施形態の住宅情報盤を示すブロック図である。
【符号の説明】
１　　　住宅情報盤
５　　　各種センサ（住環境の状態を検出するセンサ）
８　　　タッチパネル付ＬＣＤ（言語データを選択する入力装置）
１３　　言語データベース（言語データを格納したデータベース）
１７ａ　文字表示用ＲＡＭ（言語データを格納するための記憶装置）
２０ａ　警報音・音声用ＲＡＭ（言語データを格納するための記憶装置）
２４　　端末機
【図１】
2004146872.tif 000003
【図２】
2004146872.tif 000004
【図３】
2004146872.tif 000005
【図４】
2004146872.tif 000006
【図５】
2004146872.tif 000007
【図６】
2004146872.tif 000008